(57)【要約】【課題】特定セルにおいて送信された信号に対して復号処理を行うことなく、かかる信号の無線品質を推定する。【解決手段】本発明に係る受信局は、無線品質の測定を行う第１周波数を選択するよう構成されている周波数選択部１１と、第１周波数にて自装置の周辺で送信されている信号を受信する受信部１２と、受信された信号をセルサーチ処理により検出するセルサーチ実施部１３と、検出されたパスの報知情報をデコードし取得する報知情報取得部１４と、セルサーチ実施部及び報知情報取得部からの情報に基づいて第１周波数で送信されている第１セルにオーバーレイする第２周波数で送信されている第２セルの無線品質を推定する無線品質推定部１５と、セルサーチ実施部１３、報知情報取得部１４及び無線品質推定部１５からの情報を保持する無線品質データ保管部１６とを具備する。【選択図】図３
2010288155.tif 000002
【特許請求の範囲】
【請求項１】
無線品質の測定を行う第１周波数を選択するよう構成されている周波数選択部と、
前記第１周波数にて自装置の周辺で送信されている信号を受信する受信部と、
前記受信部で受信した信号をセルサーチ処理により検出するセルサーチ実施部と、
前記セルサーチ実施部にて検出されたパスの報知情報をデコードし取得する報知情報取得部と、
前記セルサーチ実施部及び前記報知情報取得部からの情報に基づいて、前記第１周波数で送信されている第１セルにオーバーレイする第２周波数で送信されている第２セルの無線品質を推定する無線品質推定部と、
前記セルサーチ実施部、前記報知情報取得部及び前記無線品質推定部からの情報を保持する無線品質データ保管部とを具備することを特徴とする受信局。
【請求項２】
前記無線品質データ保管部によって保持されている情報に基づいて、自装置の運用パラメータを決定するパラメータ決定部を具備することを特徴とする請求項１に記載の受信局。
【請求項３】
前記無線品質データ保管部によって保持されている情報に基づいて、上位装置に対して前記無線品質を報告する無線品質報告部を具備することを特徴とする請求項１又は２に記載の受信局。
【請求項４】
前記無線品質推定部は、周波数毎の補正係数を用いて、前記無線品質を推定することを特徴とする請求項１乃至３のいずれか一項に記載の受信局。
【請求項５】
前記第１セルで送信されている信号及び前記第２セルで送信されている信号は、同じ通信方式の信号であることを特徴とする請求項１乃至４のいずれか一項に記載の受信局。
【請求項６】
前記第１セルで送信されている信号及び前記第２セルで送信されている信号は、異なる通信方式の信号であることを特徴とする請求項１乃至４のいずれか一項に記載の受信局。
【請求項７】
受信局が無線品質の測定を行う第１周波数を選択する工程Ａと、
前記第１周波数で自装置の周辺で送信されている信号を受信する工程Ｂと、
前記工程Ｂにおいて受信された信号をセルサーチ処理により検出する工程Ｃと、
前記工程Ｃにおいて検出されたパスの報知情報をデコードし取得する工程Ｄと、
前記工程Ｃにおいて検出された情報及び前記工程Ｄにおいて取得された情報に基づいて、前記第１周波数で送信されているセルにオーバーレイする第２周波数で送信されている第２セルの無線品質を推定する工程Ｅと、
前記工程Ｃにおいて検出された情報と前記工程Ｄにおいて取得された情報と前記工程Ｅにおいて推定された情報とを保持する工程Ｆと、
前記受信局が無線品質の測定を行っていない周波数に属するセルの無線品質を推定する工程Ｇとを有することを特徴とする移動通信方法。
【請求項８】
前記工程Ｇにおいて保存された情報に基づいて、前記受信局の運用パラメータを決定する工程を更に有することを特徴とする請求項７に記載の移動通信方法。
【請求項９】
前記工程Ｇにおいて保存された情報に基づいて、上位装置へ前記無線品質を報告する工程を更に有することを特徴とする請求項７又は８に記載の移動通信方法。
【請求項１０】
前記工程Ｅにおいて、周波数毎の補正係数を用いて、前記無線品質を推定することを特徴とする請求項７乃至９のいずれか一項に記載の移動通信方法。
【請求項１１】
前記第１セルで送信されている信号及び前記第２セルで送信されている信号は、同じ通信方式の信号であることを特徴とする請求項７乃至１０のいずれか一項に記載の移動通信方法。
【請求項１２】
前記第１セルにて送信されている信号及び前記第２セルで送信されている信号は、異なる通信方式の信号であることを特徴とする請求項７乃至１０のいずれか一項に記載の移動通信方法。
【発明の詳細な説明】
【技術分野】
【０００１】
本発明は、受信局及び移動通信方法に関する。
【背景技術】
【０００２】
従来、移動通信システムにおいて、複数のセルがオーバーレイして設置されている場合がある。
【先行技術文献】
【特許文献】
【０００３】
【特許文献１】国際公開第２００６/１００９９４号
【発明の概要】
【発明が解決しようとする課題】
【０００４】
移動通信システムにおいて、受信局（移動局又は無線基地局）は、周辺の無線品質を取得することにより、高度な処理を実施することができる。例えば、かかる受信局は、使用可能な各周波数において、周辺のセルのスクランブリングコードや基準チャネルの受信電力や報知情報等を取得し、その結果に応じて運用パラメータを選択するといったことが可能である。
【０００５】
受信局が、周辺の各セルから受信した信号の無線品質を測定するためには、それぞれの受信信号に対してセルサーチ処理を実施する必要がある。
【０００６】
しかしながら、受信局は、かかる受信局で使用可能な通信方式と異なる通信方式のセルからの信号について検出することができない。
【０００７】
例えば、図５に示すように、かかる移動通信システムにおいて、無線基地局ＢＴＳ＃１配下のセル＃１-１が、周波数Ｆ１で運用されるＡ方式（例えば、Ｗ-ＣＤＭＡ方式）のセルであり、無線基地局ＢＴＳ＃１配下のセル＃１-２が、周波数Ｆ２で運用されるＢ方式（例えば、ＬＴＥ（Ｌｏｎｇ  Ｔｅｒｍ  Ｅｖｏｌｕｔｉｏｎ）方式）のセルであり、無線基地局ＢＴＳ＃２配下のセル＃２-１が、周波数Ｆ１で運用されるＡ方式（例えば、Ｗ-ＣＤＭＡ方式）のセルであり、無線基地局ＢＴＳ＃２配下のセル＃２-２が、周波数Ｆ２で運用されるＡ方式（例えば、Ｗ-ＣＤＭＡ方式）のセルである場合に、Ａ方式（例えば、Ｗ-ＣＤＭＡ方式）の受信局は、セル＃１-２において送信された信号に対して復号処理を行うことができない。
【０００８】
そのため、かかるＡ方式（例えば、Ｗ-ＣＤＭＡ方式）の受信局は、周波数Ｆ１についてセルサーチ処理を行った場合は、セル＃１-１及びセル＃２-１を検出できるが、周波数Ｆ２についてセルサーチ処理を行った場合は、セル＃２-２を検出できるが、セル＃１-２を検出することができず、無線品質を正しく測定することができないという問題点があった。
【０００９】
そこで、本発明は、上述の課題に鑑みてなされたものであり、特定セルにおいて送信された信号に対して復号処理を行うことなく、かかる信号の無線品質を推定することができる受信局及び移動通信方法を提供することを目的とする。
【課題を解決するための手段】
【００１０】
本発明の第１の特徴は、受信局であって、無線品質の測定を行う第１周波数を選択するよう構成されている周波数選択部と、前記第１周波数にて自装置の周辺で送信されている信号を受信する受信部と、前記受信部で受信した信号をセルサーチ処理により検出するセルサーチ実施部と、前記セルサーチ実施部にて検出されたパスの報知情報をデコードし取得する報知情報取得部と、前記セルサーチ実施部及び前記報知情報取得部からの情報に基づいて、前記第１周波数で送信されている第１セルにオーバーレイする第２周波数で送信されている第２セルの無線品質を推定する無線品質推定部と、前記セルサーチ実施部、前記報知情報取得部及び前記無線品質推定部からの情報を保持する無線品質データ保管部とを具備することを要旨とする。
【００１１】
本発明の第２の特徴は、移動通信方法であって、受信局が無線品質の測定を行う第１周波数を選択する工程Ａと、前記第１周波数で自装置の周辺で送信されている信号を受信する工程Ｂと、前記工程Ｂにおいて受信された信号をセルサーチ処理により検出する工程Ｃと、前記工程Ｃにおいて検出されたパスの報知情報をデコードし取得する工程Ｄと、前記工程Ｃにおいて検出された情報及び前記工程Ｄにおいて取得された情報に基づいて、前記第１周波数で送信されているセルにオーバーレイする第２周波数で送信されている第２セルの無線品質を推定する工程Ｅと、前記工程Ｃにおいて検出された情報と前記工程Ｄにおいて取得された情報と前記工程Ｅにおいて推定された情報とを保持する工程Ｆと、前記受信局が無線品質の測定を行っていない周波数に属するセルの無線品質を推定する工程Ｇとを有することを要旨とする。
【発明の効果】
【００１２】
以上説明したように、本発明によれば、特定セルにおいて送信された信号に対して復号処理を行うことなく、かかる信号の無線品質を推定することができる受信局及び移動通信方法を提供することができる。
【図面の簡単な説明】
【００１３】
【図１】本発明の第１の実施形態に係る移動通信システムの全体構成図である。
【図２】本発明の第１の実施形態に係る受信局の機能ブロック図である。
【図３】本発明の第１の実施形態に係る受信局の動作を示すフローチャートである。
【図４】本発明の変更例１に係る移動通信システムの全体構成図である。
【図５】従来の受信局の問題点を説明するための図である。
【発明を実施するための形態】
【００１４】
（本発明の第１の実施形態に係る移動通信システムの構成）
図１及び図２を参照して、本発明の第１の実施形態に係る移動通信システムの構成について説明する。
【００１５】
図１に示すように、本実施形態に係る移動通信システムでは、無線基地局ＢＴＳ＃１のセル＃１-１及びセル＃１-２が、オーバーレイしており、セル＃１-１において周波数Ｆ１（第１周波数）の信号が送信されており、セル＃１-２において周波数Ｆ２（第２周波数）の信号が送信されている。
【００１６】
図１の例では、セル＃１-１は、Ａ方式のセルであり、セル＃１-２は、Ｂ方式のセルであり、セル＃１-１及びセル＃１-２は、異なる通信方式のセルであってもよい。例えば、Ａ方式及びＢ方式は、それぞれ、Ｗ-ＣＤＭＡ方式であってもよいし、ＬＴＥ方式であってもよいし、ＧＳＭ方式であってもよいし、ＰＤＣ方式であってもよいし、その他の通信方式であってもよい。
【００１７】
また、セル＃１-１及びセル＃１-２は、異なる周波数帯に属していてもよい。例えば、セル＃１-１及びセル＃１-２は、それぞれ、２ＧＨｚ帯に属していてもよいし、８００ＭＨｚ帯に属していてもよいし、１.７ＧＨｚ帯に属していてもよいし、１.５ＧＨｚ帯に属していてもよいし、その他の周波数帯に属していてもよい。
【００１８】
なお、図１の例では、セル＃１-１及びセル＃１-２は、同一の無線基地局ＢＴＳ＃１に収容されているが、セル＃１-１及びセル＃１-２は、別々の無線基地局ＢＴＳに収容されていてもよい。
【００１９】
図２に示すように、受信局（無線基地局ＢＴＳ又は移動局ＵＥ）は、周波数選択部１１と、受信部１２と、セルサーチ実施部１３と、報知情報取得部１４と、無縁品質推定部１５と、無線品質データ保管部１６とを具備している。
【００２０】
上記に加えて、受信局は、パラメータ決定部１７を具備してもよいし、無線品質報告部１８を具備してもよい。
【００２１】
周波数選択部１１は、受信局が無線品質の測定を行う周波数を選択するように構成されている。
【００２２】
選択対象となる周波数は、受信局によって予めリストとして保持されていてもよいし、上位装置から通知されてもよい。
【００２３】
受信部１２は、周波数選択部１１により選択された周波数にて送信されている無線信号を受信するように構成されている。
【００２４】
セルサーチ実施部１３は、受信部１２によって受信された無線信号にセルサーチ処理を行い、パスの検出を行うように構成されている。
【００２５】
セルサーチ処理によって取得される情報としては、無線フレームタイミングや、基準チャネル（Ｗ-ＣＤＭＡ方式の場合のＰＣＰＩＣＨや、ＬＴＥの場合のＲｅｆｅｒｅｎｃｅ  Ｓｉｇｎａｌ）の受信電力や、スクランブリングコード（Ｗ-ＣＤＭＡ方式の場合）や、システム帯域幅（ＬＴＥの場合）等がある。
【００２６】
報知情報取得部１４は、セルサーチ実施部１３によって取得された各パスの報知情報をデコードし、取得するように構成されている。
【００２７】
具体的には、報知情報取得部１４は、セル＃１-１において送信されている報知情報から、セル＃１-１のセル情報（例えば、基準チャネルの送信電力等）に加えて、セル＃１-１にオーバーレイしているセルの有無、及び、セル＃１-１にオーバーレイしているセル＃１-２のセル情報を取得するように構成されている。
【００２８】
無線品質推定部１５は、セルサーチ実施部１３及び報知情報取得部１４からの情報に基づいて、オーバーレイしている他セルの無線品質を推定するように構成されている。
【００２９】
例えば、無線品質として受信電力を取得する場合について、周波数Ｆ１のセル＃１-１の受信電力を「Ｒ１」とし、セル＃１-１の送信電力を「Ｔ１」とし、セル＃１-２の送信電力を「Ｔ２」とすると、無線品質推定部１５は、式「Ｒ２＝Ｒ１×Ｔ２÷Ｔ１」によって、セル＃１-２の受信電力「Ｒ２」を算出するように構成されていてもよい。
【００３０】
また、周波数Ｆ１及び周波数Ｆ２の周波数帯が異なる場合、無線品質推定部１５は、周波数Ｆ１と周波数Ｆ２との間での減衰量の差を考慮し、係数で補正した上でセル＃１-２の受信電力を推定するように構成されていてもよい。
【００３１】
なお、前記補正を行う係数は、受信局によって予めリストとして保持されていてもよいし、上位装置から通知されてもよい。
【００３２】
無線品質データ保管部１６は、セルサーチ実施部１３、報知情報取得部１４及び無線品質推定部１５からの情報を保持するように構成されている。
【００３３】
パラメータ決定部１７は、無線品質データ保管部１６によって保持されている情報に基づいて、受信局の運用パラメータを決定するように構成されている。
【００３４】
無線品質報告部１８は、無線品質データ保管部１６によって保持されている情報を、上位装置に報告するように構成されている。
【００３５】
（本発明の第１の実施形態に係る移動通信システムの動作）
以下、図３を参照して、本実施形態に係る移動通信システムの動作について、具体的には、本実施形態に係る受信局について説明する。
【００３６】
図３に示すように、ステップＳ１０１において、受信局は、無線品質の測定を行う周波数を選択する。
【００３７】
ステップＳ１０２において、受信局は、ステップＳ１０１で選択した周波数に対してセルサーチ処理を行うと共に、一部又は全てのパスについて報知情報を取得する。
【００３８】
例えば、受信局が、無線品質として受信電力を取得する場合について、ステップＳ１０１において周波数Ｆ１を選択した場合、セルサーチ処理によりパス＃１-１を検出し、受信電力を取得する。これにより、受信局は、パス＃１-１の受信電力Ｒ１を取得する。
【００３９】
そして、受信局は、パス＃１-１の報知情報を取得することにより、パス＃１-１の送信電力Ｔ１、セル＃１-１にオーバーレイするセル＃１-２の周波数Ｆ２及び送信電力Ｔ２を取得する。
【００４０】
ステップＳ１０３において、受信局は、ステップＳ１０２で取得した情報に基づいて、セル＃１-１にオーバーレイするセル＃１-２の受信電力Ｒ２を「Ｒ２＝Ｒ１×Ｔ２÷Ｔ１」と推定する。
【００４１】
なお、受信局は、周波数Ｆ１と周波数Ｆ２との間の周波数差による無線伝搬での減衰量の差を考慮して、係数αを用いて、「Ｒ２＝Ｒ１×Ｔ２÷Ｔ１×α」と推定してもよい（αは、周波数毎の減衰量の差を補正する係数）。
【００４２】
ステップＳ１０４において、受信局は、ステップＳ１０３で取得した情報を保管する。
【００４３】
ステップＳ１０５において、受信局は、他の周波数に対してセルサーチ処理を行うか否かについて判断し、他の周波数に対してセルサーチ処理を行うと判断した場合は、本動作は、ステップＳ１０１に進み、他の周波数に対してセルサーチ処理を行わないと判断した場合は、本動作は、ステップＳ１０６に進む。
【００４４】
ステップＳ１０６において、受信局は、運用するパラメータを決定する。
【００４５】
ステップＳ１０７において、受信局は、無線品質を上位装置に報告する。
【００４６】
（本発明の第１の実施形態に係る移動通信システムの作用・効果）
本発明の第１の実施形態に係る移動通信システムによれば、周辺のセル＃１-１にオーバーレイしたセル＃１-２において送信された信号に対して復号処理を行うことなく、セル＃１-２の無線品質を推定することができる。
【００４７】
（変更例１）
図４を参照して、本発明の変更例１に係る移動通信システムについて、上述の第１の実施形態に係る移動通信システムとの相違点に着目して説明する。
【００４８】
図４に示すように、本変更例に係る移動通信システムでは、セル＃１-１及びセル＃１-２は、同じ通信方式のセルである。例えば、セル＃１-１及びセル＃１-２の通信方式は、Ｗ-ＣＤＭＡ方式であってよいし、ＬＴＥ方式であってもよいし、ＧＳＭ方式であってもよいし、ＰＤＣ方式であってもよいし、他の通信方式のセルであってもよい。
【００４９】
この場合、受信局は、セル＃１-１及びセル＃１-２の無線品質を測定するために、周波数Ｆ１及び周波数Ｆ２の両方の周波数で無線品質の測定を行うこともできるが、周波数Ｆ１の無線品質の測定のみを行い、その結果から、セル＃１-１にオーバーレイするセル＃１-２の無線品質を推定することもできる。
【００５０】
同様に、受信局は、周波数Ｆ２の無線品質の測定のみを行い、その結果から、セル＃１-２にオーバーレイするセル＃１-１の無線品質を推定することもできる。
【００５１】
以上に述べた本実施形態の特徴は、以下のように表現されていてもよい。
【００５２】
本実施形態の第１の特徴は、受信局であって、無線品質の測定を行う第１周波数を選択するよう構成されている周波数選択部１１と、第１周波数にて自装置の周辺で送信されている信号を受信する受信部１２と、受信部１２で受信した信号をセルサーチ処理により検出するセルサーチ実施部１３と、セルサーチ実施部１３にて検出されたパスの報知情報をデコードし取得する報知情報取得部１４と、セルサーチ実施部１３及び報知情報取得部１４からの情報に基づいて、第１周波数で送信されている第１セルにオーバーレイする第２周波数で送信されている第２セルの無線品質を推定する無線品質推定部１５と、セルサーチ実施部１３、報知情報取得部１４及び無線品質推定部１５からの情報を保持する無線品質データ保管部１６とを具備することを要旨とする。
【００５３】
本実施形態の第１の特徴において、無線品質データ保管部１６によって保持されている情報に基づいて、自装置の運用パラメータを決定するパラメータ決定部１７を具備してもよい。
【００５４】
本実施形態の第１の特徴において、無線品質データ保管部１６によって保持されている情報に基づいて、上位装置に対して無線品質を報告する無線品質報告部１８を具備してもよい。
【００５５】
本実施形態の第１の特徴において、無線品質推定部１５は、周波数毎の補正係数を用いて、無線品質を推定してもよい。
【００５６】
本実施形態の第１の特徴において、第１セルで送信されている信号及び第２セルで送信されている信号は、同じ通信方式の信号であってもよいし、異なる通信方式の信号であってもよい。
【００５７】
本実施形態の第２の特徴は、移動通信方法であって、受信局が無線品質の測定を行う第１周波数を選択する工程Ａと、第１周波数で自装置の周辺で送信されている信号を受信する工程Ｂと、工程Ｂにおいて受信された信号をセルサーチ処理により検出する工程Ｃと、工程Ｃにおいて検出されたパスの報知情報をデコードし取得する工程Ｄと、工程Ｃにおいて検出された情報及び前記工程Ｄにおいて取得された情報に基づいて、前記第１周波数で送信されているセルにオーバーレイする第２周波数で送信されている第２セルの無線品質を推定する工程Ｅと、工程Ｃにおいて検出された情報と前記工程Ｄにおいて取得された情報と前記工程Ｅにおいて推定された情報とを保持する工程Ｆと、受信局が無線品質の測定を行っていない周波数に属するセルの無線品質を推定する工程Ｇとを有することを要旨とする。
【００５８】
本実施形態の第２の特徴において、工程Ｇにおいて保存された情報に基づいて、受信局の運用パラメータを決定する工程を更に有してもよい。
【００５９】
本実施形態の第２の特徴において、工程Ｇにおいて保存された情報に基づいて、上位装置へ無線品質を報告する工程を更に有してもよい。
【００６０】
本実施形態の第２の特徴において、工程Ｅにおいて、周波数毎の補正係数を用いて、無線品質を推定してもよい。
【００６１】
本実施形態の第２の特徴において、第１セルで送信されている信号及び第２セルで送信されている信号は、同じ通信方式の信号であってもよいし、異なる通信方式の信号であってもよい。
【００６２】
なお、上述の受信局（無線基地局ＢＴＳ又は移動局ＵＥ）の動作は、ハードウェアによって実施されてもよいし、プロセッサによって実行されるソフトウェアモジュールによって実施されてもよいし、両者の組み合わせによって実施されてもよい。
【００６３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、受信局（無線基地局ＢＴＳ又は移動局ＵＥ）内に設けられていてもよい。また、かかる記憶媒体及びプロセッサは、ディスクリートコンポーネントとして受信局（無線基地局ＢＴＳ又は移動局ＵＥ）内に設けられていてもよい。
【００６５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６６】
ＢＴＳ…無線基地局
１１…周波数選択部
１２…受信部
１３…セルサーチ実施部
１４…報知情報取得部
１５…無線品質推定部
１６…無線品質データ保管部
１７…パラメータ決定部
１８…無線品質報告部
【図１】
2010288155.tif 000003
【図２】
2010288155.tif 000004
【図３】
2010288155.tif 000005
【図４】
2010288155.tif 000006
【図５】
2010288155.tif 000007